(57)【要約】【課題】ガラス板と移動補助部材との耐久性を向上させることが可能な遊技機を提供する。【解決手段】遊技機本体枠の一側を回動軸１０として回動可能にガラス板保持枠３が取り付けられ、該ガラス板保持枠は、裏側に備えた保持部材１１を介してガラス板４を着脱可能に保持し、前記保持部材１１は、ガラス板保持枠３の開放側１６部分若しくは上部分の少なくともいずれか一方を開放して備えられてガラス板嵌装可能部１５を構成し、該ガラス板嵌装可能部から嵌装したガラス板を回動軸１０側のガラス板取付位置２０へと摺動させるための移動補助部材２５を備え、該移動補助部材には、前記ガラス板と当接する当接部３３を備えるとともに、該当接部に、前記ガラス板からの衝撃を緩衝する緩衝部を備えた。【選択図】    図３
2006230527.tif 000002
【特許請求の範囲】
【請求項１】
遊技機本体枠の一側を回動軸として回動可能にガラス板保持枠が取り付けられ、該ガラス板保持枠は、裏側に備えた保持部材を介してガラス板を着脱可能に保持し、
前記保持部材は、ガラス板保持枠の開放側部分若しくは上部分の少なくともいずれか一方を開放して前記ガラス板保持枠に備えられることによりガラス板嵌装可能部を構成し、
該ガラス板嵌装可能部から嵌装したガラス板を回動軸側のガラス板取付位置へと前記保持部材に対して摺動させるための移動補助部材を備え、
該移動補助部材には、前記ガラス板と当接する当接部を備えるとともに、
該当接部に、前記ガラス板からの衝撃を緩衝する緩衝部を備えたことを特徴とする遊技機。
【請求項２】
移動補助部材は、ガラス板をガラス板保持枠の開放側位置から押圧することにより摺動させるとともに、該ガラス板をガラス板取付位置にて取り付けた状態で、該ガラス板を回動軸方向へと付勢する付勢部材を備えていることを特徴とする請求項１に記載の遊技機。
【発明の詳細な説明】
【技術分野】
【０００１】
本発明は、遊技機、詳しくは、裏側に備えた保持部材を介してガラス板を着脱可能に取り付けたガラス板保持枠を有し、該ガラス板保持枠が遊技機本体枠に対して回動可能に備えられている遊技機に関する。なお、本発明の遊技機は、いわゆるパチンコ機と称される弾球遊技機、いわゆるパチスロ機と称される回動式遊技機の双方を対象としている。
【背景技術】
【０００２】
例えば弾球遊技機（いわゆるパチンコ機）には、多数の遊技釘や遊技球誘導部材（例えばステージや天通路等）などの各種遊技部材を設けて遊技球の転動する遊技領域を構成している遊技盤が遊技機本体枠に取り付けられており、前記遊技盤は、遊技機本体枠の一側にヒンジなどを介して回動可能に取り付けられたガラス板保持枠のガラス板を介して視認可能に構成されている。
このような弾球遊技機において、ガラス板は、ガラス板保持枠の裏側に備えた保持部材を介して着脱可能に取り付けられているのが一般的である。
【０００３】
従来、このようにガラス板保持枠を回動可能に備えた弾球遊技機として特許文献１が開示されており、この特許文献１において、保持部材は、回動軸側の保持部材と開放側の保持部材と夫々の保持部材の下端領域にわたって連通して備えられた下部分の保持部材とで構成され、上部分は開放した空間であるガラス板嵌装部とし、前記回動軸側の保持部材と開放側の保持部材と下部分の保持部材とで構成されているガラス板の保持部材空間は、嵌装されるガラス板が嵌り合う程度の大きさに構成されている。
そして、ガラス板を前記ガラス板嵌装部を介して上方より嵌装して取り付ける構成としている。
【特許文献１】特開２００２−８５７５８号公報
【発明の開示】
【発明が解決しようとする課題】
【０００４】
ところで、この種の弾球遊技機では、例えば遊技機本体枠の上方にランプ飾りやスピーカなどが前方に向けて突出状に備えられていたり、またこれらランプ飾りやスピーカなどがガラス板保持枠に備えられ、これらの配線がヒンジ側（回動軸側）に取り回されているものがある。
【０００５】
このような弾球遊技機において、前記特許文献１に開示の先行技術では、ガラス板が嵌り合う程度の大きさに保持部材を構成していることから、ガラス板保持枠を十分に開放させてからでなければ、ガラス板着脱の際に、前記各配線やランプ飾り，スピーカなどに干渉してしまうため、ガラス板保持枠開放のための作業スペース（開放スペース）を十分に確保しなければならない。
【０００６】
そこで本願発明者は、ガラス板保持枠に配される各配線や遊技機本体枠に備えられるランプ飾り，スピーカなどの部材との干渉を極力抑えつつガラス板の着脱が可能な遊技機に関する新規有用な技術的手段を開発することに成功したが、さらに本願発明者は、このような新規技術的手段の実効を補足すべく、次の課題をも併せて解決すべくさらなる研究開発を行った。
すなわち、上述の不都合を解決すべくなされた新規技術的手段では、移動補助部材を用いてガラス板を保持部材に対して摺動させてガラス板取付位置まで移動させる構造であるため、移動補助部材とガラス板が直接当接し、ガラス板と移動補助部材との衝突による衝撃により、ガラス板及び移動補助部材の耐久性が低下する虞がある。本願発明者はこの点に着目し、本願発明に至ったものである。
【０００７】
本発明は、このような問題を解決するためになされており、その目的とするところは、ガラス板と移動補助部材との耐久性を向上させることが可能な遊技機を提供することである。
【課題を解決するための手段】
【０００８】
このような目的を達成するために、第１の発明は、遊技機本体枠の一側を回動軸１０として回動可能にガラス板保持枠３が取り付けられ、該ガラス板保持枠３は、裏側に備えた保持部材１１を介してガラス板４を着脱可能に保持し、前記保持部材１１は、ガラス板保持枠３の開放側１６部分若しくは上部分の少なくともいずれか一方を開放して前記ガラス板保持枠に備えられることによりガラス板嵌装可能部１５を構成し、該ガラス板嵌装可能部１５から嵌装したガラス板４を回動軸１０側のガラス板取付位置２０へと前記保持部材１１に対して摺動させるための移動補助部材２５を備え、該移動補助部材２５には、前記ガラス板４と当接する当接部３３を備えるとともに、該当接部３３に、前記ガラス板４からの衝撃を緩衝する緩衝部３５を備えたことを特徴とする遊技機としたことである。
【０００９】
本発明によれば、移動補助部材２５の操作により、直接ガラス板４の表面に触れることなく容易にガラス板４を取付位置２０へ移動させることが出来るので、ガラス板４の取付作業効率が向上する。また、ガラス板４と移動補助部材２５との当接により生ずる衝撃を緩和できるので、ガラス板４と移動補助部材２５の耐久性が向上する。
【００１０】
第２の発明は、第１の発明において、移動補助部材２５は、ガラス板４をガラス板保持枠３の開放側１６位置から押圧することにより摺動させるとともに、該ガラス板４をガラス板取付位置２０にて取り付けた状態で、該ガラス板４を回動軸方向へと付勢する付勢部材３６を備えていることを特徴とする遊技機としたことである。
【００１１】
本発明によれば、ガラス板４を取付位置にて取り付けたときに、移動補助部材２５によってガラス板４の開放側１６への移動を抑制するとともに、ガラス板４への衝撃を緩和することができる。
【発明の効果】
【００１２】
本発明によれば、ガラス板と移動補助部材との耐久性を向上させることの可能な遊技機が提供できる。
【発明を実施するための最良の形態】
【００１３】
以下、本発明の一実施形態について説明する。なお、本実施形態は本発明の一例にすぎずなんらこれに限定解釈されるものではなく、本発明の範囲内で設計変更可能である。
【実施例１】
【００１４】
本実施例では、本発明を適用する遊技機の一例として弾球遊技機（パチンコ機ともいう）をもって説明する。
図１は、本発明を適用した弾球遊技機の一例を示す概略斜視図で、図２乃至図５は、ガラス板保持枠３の概略図である。
弾球遊技機は、外枠１と内枠２にて構成された遊技機本体枠を備え、図１に示すように、外枠１の前面に内枠（ベースドア）２が回動自在に軸支され、該内枠２の前面には、遊技盤ベースに始動入賞口や遊技釘などの種々の遊技部材を備えて構成した図示しない遊技盤が着脱自在に装着され、該遊技盤の背面には図示しない表示装置が着脱自在に装着されている。なお、遊技盤及び表示装置は特に限定されず本発明の範囲内で設計変更可能である。
そして、前記内枠２の前面には、図１に示すように、ガラス板４を嵌めたガラス板保持枠（フロント扉）３が前記内枠２の前面側の一側を回動軸（ヒンジ部）１０として回動自在に軸支され、該ガラス板保持枠３の閉鎖時には、該ガラス板保持枠３の前側からガラス板４を介して前記遊技盤が視認される。
また、本実施例では、図１に示すように、前記ガラス板保持枠３の配設位置よりも上方の内枠２の前面には、音による演出装置としてのスピーカ２３が備えられている。
そして、ガラス板保持枠３の前面側には、図１に示すように、光による演出装置としてのランプ飾り２４が備えられている。
【００１５】
前記ガラス板保持枠３の前面下部には、払出装置から払い出された遊技球が遊技球受入口５ａから供給されるとともに、発射装置へと遊技球を供給するための遊技球供給皿（上皿）５を一体的に備えている（図１及び図２参照）。
そして、前記ガラス板保持枠３を軸支した内枠２の前面下部には、前記遊技球供給皿５満杯時に遊技球受入口５ａの内方で溢れ出た球を排出する下皿排出口６ａを有する下皿６を備えた取付ベース７が回動自在に軸支されている。
また、図１で示す符号８は、遊技球を遊技領域へ向けて発射する発射装置のハンドルで、該ハンドル８のレバー８ａを時計回り方向に回転させることにより発射停止スイッチがONとなり、駆動する図示しない発射ソレノイド駆動により槌先が作動して、遊技球供給皿５から供給された遊技球を叩打して遊技球を遊技盤に備えられた遊技領域に打ち出す。
【００１６】
ガラス板保持枠３の裏側には、該保持枠３の前後面に開口して設けられている窓部９の周囲に、少なくとも一部にガラス板４を嵌装可能なガラス板嵌装可能部１５を有した保持部材１１が備えられ、該保持部材１１を介してガラス板４が着脱可能に保持されている。
また、本実施例では、二枚のガラス板４，４が前後に所定の間隔をあけて夫々着脱可能に保持部材１１に保持されている。なお、ガラス板４の配設枚数は本実施例になんら限定解釈されるものではなく、単数枚若しくは二枚以上であってもよい。
【００１７】
前記保持部材１１は、それぞれ端部を開放した二本の平行なレール部１２ａ・１２ａ，１３ａ・１３ａ…（スライド溝部）を内面側に備えて構成されており、例えば本実施例においては、ガラス板保持枠３の回動軸１０側に備えた回動軸側保持部材１２と、ガラス板保持枠３の開放側に備えた開放側保持部材１３と、ガラス板保持枠３の下部分側に備えた下部分側保持部材１４とで構成されているとともに、ガラス板保持枠３の上部分（図３及び図４にて、ガラス板保持枠３の裏側から見て正面視上側）を開放することによりガラス板嵌装可能部１５を構成している。
【００１８】
回動軸側保持部材１２は、例えばガラス板保持枠３の開放側１６に向けて開放した二本の平行なレール部１２ａ，１２ａを内面側に備えて窓部９の縦方向開口幅Ｈ１よりも長尺状に樹脂材料をもって形成されており、該夫々のレール部１２ａの上下端部は上下方向に向けて開放されている。また、本実施例では、上下位置の前後側面に横方向に延設したガラス板離脱防止片１２ｂ，１２ｂを備えてガラス板４の前後方向への離脱を防止する構造としている。
そして、前記ガラス板保持枠３裏側の回動軸１０側（図３及び４にて、ガラス板保持枠３の裏側から見て正面視右側）にて、ガラス板保持枠３の回動軸側縦枠部３ａと平行で、かつ窓部９よりも回動軸１０寄りに取り付けられている。
【００１９】
開放側保持部材１３は、例えばガラス板保持枠３の回動軸１０側に向けて開放した二本の平行なレール部１３ａ，１３ａを内面側に備えて窓部９の縦方向開口幅Ｈ１よりも長尺状に樹脂材料をもって形成されており、該夫々のレール１３ａ，１３ａの上下端部は上下方向に向けて開放されている。
そして、前記ガラス板保持枠３裏側の開放側１６（図３及び図４にて、ガラス板保持枠３の裏側から見て正面視左側）にて、ガラス板保持枠３の開放側縦枠部３ｂと平行で、かつ窓部９よりも開放側１６寄りに取り付けられている。なお、開放側保持部材１３のレール部１３ａは、前記回動軸側保持部材１２のレール部１２ａと、その開口側を相対向して位置するものとしている。
そして、本実施例では、図３乃至図５及び図７に示すように、長さ方向の略中心位置に、後述する移動補助部材２５を横方向に摺動可能に挿入配設する移動補助部材用貫通孔１７が外面側から内面側に貫通して設けられている。
【００２０】
移動補助部材用貫通孔１７は、図７に示すように、移動補助部材２５の本体２６及び該本体２６に備えられた脱落防止部３９が挿通可能な長尺矩形状の第一貫通孔１８と、該移動補助部材２５に備えられた保持部４５が挿通可能な幅狭矩形状の第二貫通孔１９で構成されている。この第二貫通孔１９は、本実施例では、第一貫通孔１８の上下方向両側に一つずつ設けられている。
【００２１】
また、この第一貫通孔１８には、図７に示すように、第一貫通孔１８の上下方向両側縁内面に、前記脱落防止部３９の脱落防止用係止片４２が係止可能な脱落防止用係止受部１８ａを備えている。また、各第二貫通孔１９には、第二貫通孔１９の上下方向側縁内面に、前記保持部４５の保持用係止片４８が係止可能な保持用係止受部１９ａを備えている。
前記脱落防止用係止受部１８ａと保持用係止受部１９ａの夫々の係止面１８ｂ，１９ｂ位置は、本実施例では、同一平面上に備えられるのではなく、図７に示すように、横方向に前後して備えられており、本実施例では、前記脱落防止用係止受部１８ａの係止面１８ｂが、保持用係止受部１９ａの係止面１９ｂよりも開放側１６に備えられている。なお、脱落防止用係止片４２と保持用係止片４８の長さを調整することによって、前記脱落防止用係止受部１８ａと保持用係止受部１９ａの夫々の係止面１８ｂ，１９ｂ位置を同一平面位置とすることも可能である。
【００２２】
下部分側保持部材１４は、図３乃至図５に示すように、例えばガラス板保持枠３の上端側に向けて開放した二本の平行なレール部１４ａ，１４ａを内面側に備えて窓部９の横方向開口幅Ｗ１よりも長尺状に金属材料をもって形成されており、該夫々のレール部１４ａの左右端部は左右方向に向けて開放されている。
そして、前記ガラス板保持枠３の下部分（図３及び図４にて、ガラス板保持枠３の裏側から見て正面視下側）にてガラス板保持枠３の横枠部３ｃと平行で、かつ窓部９よりも下方に取り付けられている。この場合、レール部１４ａの開口位置は、前記回動軸側保持部材１２のレール部１２ａと開放側保持部材１３のレール部１３ａと直交して連通している。
【００２３】
図３に示すように、前記回動軸側保持部材１２の内面側と開放側保持部材１３の内面側の間隔Ｌ１は、前記ガラス板嵌装可能部１５のガラス板保持枠３の開放側１６に寄せた状態で上方から嵌装したガラス板４を、前記ガラス板保持枠３の回動軸１０側に移動（図３で向かって右方向へ移動）させることによってガラス板取付位置２０に取り付けるための移動空間Ｌ２を確保して構成されている。
すなわち、回動軸側保持部材１２の内面側と開放側保持部材１３の内面側の間隔Ｌ１は、嵌装されるガラス板４の横幅Ｗ２よりも大きく構成されている（図４参照）。
【００２４】
そして、本実施例において、前記回動軸側保持部材１２の上端には、図３、図４及び図１２に示すように、ガラス板嵌装可能部１５からのガラス板４の所定範囲における嵌装を阻止する嵌装阻止部２１が設けられている。
【００２５】
嵌装阻止部２１は、本実施例において、回動軸側保持部材１２の上端を覆う程度の平板状に、該回動軸側保持部材１２の上端に一体成形されている。
従って、本実施例では、嵌装阻止部２１の遊端側２１ａと開放側保持部材１３との間で形成された空間Ｌ３をガラス板嵌装可能部１５としている。
ガラス板嵌装可能部１５の横幅（前記空間Ｌ３）は、本実施例では、前記ガラス板４を嵌装可能にガラス板４の幅寸法（横幅Ｗ２）と略等しく構成されている。
【００２６】
また、前記回動軸側保持部材１２の上方には、前記ガラス板取付位置２０にガラス板４を取り付けた状態で、該ガラス板４の上方への離脱を阻止する離脱阻止部２２が備えられている。
なお、本実施例において離脱阻止部２２は、回動軸側保持部材１２と一体成形されている前記嵌装阻止部２１が兼ねている。
すなわち、前記嵌装阻止部２１は、ガラス板嵌装可能部１５の上方からガラス板４を嵌装する際には、その嵌装阻止部２１が備えられている分だけ、開放側１６に寄った位置からガラス板４を嵌装させることとなるため、ランプ飾り２４やスピーカ２３及びこれらの配線等との干渉を極力避けることができ、また、嵌装したガラス板４がガラス板取付位置２０に到達した後には、前記嵌装阻止部２１が、ガラス板４の上方への移動を阻止する離脱阻止部２２として作用する。
【００２７】
前記ガラス板保持枠３に備えられる移動補助部材２５は、図３乃至図６及び図８乃至図１０に示すように、ガラス板保持枠３に設けられた移動補助部材用貫通孔１７に、横方向にスライド可能（開放側１６から回動軸１０側に向けてスライド可能）に備えられており、ガラス板嵌装可能部１５から嵌装したガラス板４を、回動軸１０側のガラス板取付位置２０へと摺動移動させる。
【００２８】
移動補助部材２５は、前記移動補助部材用貫通孔１７にスライド自在に嵌り合うように、例えば合成樹脂材をもって形成した移動補助部材本体２６と、該本体２６の側方に、該本体２６と同一材料をもって一体成形された一対の脱落防止部３９と一対の保持部４５とで構成されている。
【００２９】
移動補助部材本体２６は、例えば本実施例によると、図８及び図９に示すように、長尺矩形状の操作部２７と、該操作部２７の前面両端部に保持部配設スペース２８，２８を残して立上げ形成した第一立上り部２９と、該第一立上り部２９の前面から段差をもって立上げ形成した第二立上り部３０と、該第二立上り部３０の前面両端部に脱落防止部配設スペース３１，３１を残して立上げ形成した先端部３２とで構成されており、該先端部３２には、前記ガラス板４と当接する長尺平坦状の当接部３３を備えて構成されている。
また、本実施例では、移動補助部材本体２６は、内部に支持部３４を備えるとともに、該支持部３４と操作部２７との間を中空状に形成して構成されている。
【００３０】
当接部３３は、本実施形態では、二枚のガラス板４，４を同時に押圧して摺動させることの可能な幅をもって構成されているとともに、前記ガラス板４からの衝撃を緩衝する緩衝部３５構造を備えている。
【００３１】
緩衝部３５は、例えば所定の肉厚を有するゴム若しくは軟質合成樹脂材からなる板状部材で構成され、前記先端部３２の前面全域に備えられている。なお、緩衝部３５は、ガラス板４からの衝撃を吸収できる材料で構成されるものであれば特に限定はされず設計変更可能である。
本実施例では、当接部３３全体を弾性部材からなる緩衝部３５としているが、当接部３３の前面の一部に別途形成した緩衝部を貼着してなるものであってもよく、あるいは断続状の複数部材で構成されているものであってもよく、少なくともガラス板４と当接する面が弾性部材からなるものであれば本発明の範囲内で設計変更可能である。
また、本実施例では、ガラス板４の側面をガラス板保持枠３の開放側１６位置から押圧することにより摺動させるとともに、該ガラス板４をガラス板取付位置２０にて取り付けた状態で、該ガラス板４を回動軸１０方向へと付勢する付勢部材３６を備えている。
【００３２】
付勢部材３６は、図８に示すように、前記移動補助部材本体２６の内部に備えた支持部３４と、前記当接部３３とにわたって配設された連結部材（ボルト）３７と、該連結部材３７の軸外周に巻回されて、支持部３４の当接部対向面側３４ａと当接部３３の支持部対向面側３３ａとにわたって介在された弾性部材（バネ）３８とからなる。なお、連結部材３７の後端には、支持部３４の外面側に突き当てられる抜止め阻止部（ボルト頭）３７ａが備えられている。
前記連結部材３７は、支持部３４の挿通孔３４ｂ内を孔方向に移動可能に配設されるとともに、その先端側を前記当接部３３に固定して備えられている。
【００３３】
従って、当接部３３は、ガラス板４を押圧した時に、該当接部３３先端の緩衝部３５に押圧力（衝撃）が掛かるが、押圧力によって支持部３４側（開放側１６）に向けて緩衝部３５が弾性変形して衝撃を緩衝する。そして、ガラス板４をガラス板取付位置２０に到達させた時に、弾性部材３８が圧縮されてその反発力を介して当接部３３によってガラス板４を回動軸側保持部材１２のレール部１２ａに緊密に押圧する（図８で実線は弾性部材３８が圧縮されて当接部３３が後退している状態を示し、破線は押圧されていない状態で、当接部３３が前進している状態を示す。）。
なお、本実施例では、付勢部材３６を構成する連結部材３７と弾性部材３８を、上下方向に一定間隔をあけて夫々一組ずつ備えているが、連結部材３７と弾性部材３８からなる構成を一組のみ設けるものであっても、あるいは二組以上設けるものであってもよく、本発明の範囲内で設計変更可能である。
【００３４】
脱落防止部３９は、ガラス板保持枠３からの移動補助部材２５の脱落を防止するもので、本実施例では、次に示す構成を採用している。
脱落防止部３９は、例えば本実施例では図８及び図９に示すように、夫々前記移動補助部材本体２６の上下の脱落防止部配設スペース３１から直交状に突設し、弾性変形可能な平板状の舌片４０と、該舌片４０の先端外面に設けた係止部４１を備えた脱落防止用係止片４２を備えて構成されている。該係止部４１は、前記舌片４０の先端から外側に向けて傾斜状に形成したガイド面４３と、該ガイド面４３から舌片４０の外面方向に向けて垂設された係止面４４で構成されている。
【００３５】
前記脱落防止用係止片４２の係止部４１の係止面４４が、ガラス板保持枠３に設けた脱落防止用係止受部１８ａに係止されることで移動補助部材２５の脱落が防止されるとともに、舌片４０を弾性変形させてその係止状態を解除することにより、前記脱落防止用係止受部１８ａより離脱してガラス板保持枠３に対して移動補助部材２５を取り外し可能としている。
【００３６】
保持部４５は、例えば本実施例では図８及び図９に示すように、移動補助部材２５を介して押圧しているガラス板４をガラス板取付位置２０にて保持するためのもので、本実施例では、次に示す構成を採用している。
前記移動補助部材本体２６の上下の保持部配設スペース２８，２８から直交状に突設し、弾性変形可能な平板状の舌片４６と、該舌片４６の先端外面に設けた係止部４７を備えた保持用係止片４８を備えて構成されている。該係止部４７は、前記舌片４６の先端から外側に向けて傾斜状に形成したガイド面４９と、該ガイド面４９から舌片４６の外面方向に向けて垂設された係止面５０で構成されている。
前記保持用係止片４８の係止部４７の係止面５０が、ガラス板保持枠３に設けた保持用係止受部１９ａに係止されることで移動補助部材２５の開放側１６方向への移動を阻止してガラス板４を所定の取付位置２０に保持させるとともに、舌片４６を弾性変形させてその係止状態を解除することにより、前記保持用係止受部１９ａより離脱してガラス板４のガラス板取付位置２０における保持状態を解除可能としている。
【００３７】
また、本実施例では、脱落防止部３９と保持部４５の両構成により、移動補助部材２５がガラス板４をガラス板取付位置２０にて保持しているとき（図１０（ｂ）の状態）には、ガラス板保持枠３の裏側にて開放側１６端部から移動補助部材２５が突出することなく保持されるものとし、移動補助部材２５を開放側１６に移動させてガラス板４を取り外した状態のままのとき（図１０（ａ））には、移動補助部材２５がガラス板保持枠３の開放側１６端部から突出した状態となるように構成している。従って、前記したようにガラス板４をガラス板取付位置２０に保持した状態であれば遊技機本体枠に対してガラス板保持枠３が閉扉可能であるが、移動補助部材２５を開放側１６に移動させてガラス板４をはずした状態のままでは、開放側１６端部から突出する移動補助部材２５が邪魔になって閉扉不可能である。これにより、ガラス板４の取り付け忘れや取付位置へのセット忘れを作業者に注意させることができる。
【００３８】
回動軸側保持部１２及び開放側保持部１３の全長は本実施例に限定されず、長短変更可能で、あるいは長さ方向に断続して備えられていてもよい。従って、本実施例によれば、嵌装可能部１５の長さＬ３とガラス板４を押圧移動できる空間である移動空間Ｌ２長さを足した全長がガラス板４の移動スペース（回動軸側保持部材１２の内面側と開放側保持部材１３の内面側の間隔Ｌ１）とされている。
【００３９】
ここで、図３乃至図６及び図１０，図１１に基づいてガラス板の着脱作業の一例について説明する。
【００４０】
まず、ガラス板保持枠３を回動軸を支点に回動させて開放する。
そして、ガラス板４を、ガラス板保持枠３裏側の保持部材１１上方から嵌装する。このとき、回動軸側保持部材１２の上端には嵌装阻止部２１が備えられていることから、該嵌装阻止部２１を避けなければガラス板４は保持部材１１内に嵌装できない。
従って、ガラス板４の嵌め込み作業にあっては、図３乃至図５に示すように、必然的に嵌装阻止部２１を避けて、該嵌装阻止部２１の分だけ回動軸１０側から離れた位置に開放されているガラス板嵌装可能部１５からガラス板４の嵌め込み作業を行うこととなる。これにより、ランプ飾りやスピーカなどの演出装置（本実施例にあっては、内枠２の上方に備えたスピーカ２３）及びガラス板保持枠３に備えられた演出装置（本実施例にあってはランプ飾り２４）と接続するための配線などに干渉する虞も少なくなる。
【００４１】
そして、保持部材１１内に嵌装されたガラス板４は、次に移動補助部材２５によってガラス板取付位置２０方向へと押圧して摺動される。すなわち、図１０（ａ）及び図１１（ａ）に示すように、ガラス板嵌装可能部１５から嵌装した状態のガラス板４は、開放側保持部材１３に沿って位置し、そして移動補助部材２５は、ガラス板保持枠３に設けられている第一貫通孔１８内を予め開放側１６方向へと突出状に移動させて待機状態とするとともに、脱落防止部３９の脱落防止用係止片４２が、ガラス板保持枠３に設けられている第一貫通孔１８の脱落防止用係止受部１８ａに係止して脱落することなく保持されている。
【００４２】
そして、図１０（ａ）及び図１１（ａ）に示す状態から、図１０（ｂ）及び図１１（ｂ）に示すように、移動補助部材２５を回動軸１０側方向（図面にて矢印で示す右方向）へと移動させるとともに、該移動補助部材２５の当接部３３によってガラス板４を回動軸側保持部材１２方向へと押圧移動させてガラス板取付位置（回動軸側保持部材１２のレール部１２ａ）２０へと押圧配設する。このとき、当接部３３に掛かったガラス板４との衝撃は緩衝部３５の弾性変形によって緩衝される。
【００４３】
そして、ガラス板４がガラス板取付位置２０に到達したときに、付勢部材３６の弾性部材３８が圧縮され、その反発力を介して当接部３３がガラス板４を回動軸側保持部材１２のレール部１２ａに緊密に押圧し、ガラス板４のぐらつきを無くす。
そして、保持部４５の保持用係止片４８が、ガラス板保持枠３に設けられている第二貫通孔１９裏面側の保持用係止受部１９ａに係止される。
これにより、移動補助部材２５はガラス板４をガラス板取付位置２０に押圧保持するとともに、前記保持用係止片４８が前記保持用係止受部１９ａに係止されて移動補助部材２５とガラス板４の開放側１６への移動が阻止される。
また、このとき、ガラス板４を手などで上方へスライドさせようとしても、ガラス板４の上端は離脱阻止部２２に当接し、ガラス板４の上方への移動が阻止されスライド不能となっている。このため、ガラス板４を上方へスライドさせてピアノ線などを挿入させるなどの不正を防止することができる。
【００４４】
本実施例によれば、このような構成及び作用効果を奏するため、先行技術との関係において次のような課題を解決することが出来る。すなわち、ガラス板嵌装部を介してガラス板を上方より嵌装する際に、前記回動軸側に取り回されている各種配線や、遊技機本体枠上方のランプ飾り，スピーカなどに干渉する虞があることから、これら干渉による不都合を解消するためには、回動軸側に備えられる保持部材を、該回動軸側から十分に離した位置に備えてガラス板保持枠における回動軸側のスペースを十分に確保しなければならない。このような状況下では、ガラス板の取り付け位置が限定されてしまうため、回動軸側のガラス板保持枠内側における視認性が低下し、遊技盤における装飾効果を向上させることが困難であった。
本実施例に開示の遊技機によれば、ガラス板保持枠３の回動軸１０側（ヒンジ側）により近い位置に回動軸側保持部材１２を備え、ガラス板４を回動軸１０側により近い位置に取り付けることができる。従って、前記回動軸１０側における遊技盤の視認性を向上することができるため、遊技機の装飾効果を向上させることが可能となる。
「変形例１」
【００４５】
上述した実施例１は本発明の一例であって、次の構成を採用することも可能である。
例えば、保持部材１１や移動補助部材２５の材質は本実施例に限定されるものではなく、本発明の範囲内で設計変更可能である。
【００４６】
保持部材１１は、実施例１では、上部分（図３及び４にて、ガラス板保持枠３の裏側から見て正面視上側）を開放してガラス板嵌装可能部１５を構成しているが、開放側１６部分を開放してガラス板嵌装可能部を構成することも可能である。この構成を採用する場合には上部分の保持部材を備えることは言うまでも無い。
【００４７】
移動補助部材２５は、本実施例において、ガラス板保持枠３の長さ方向略中央位置に備えられているが、その配設位置は特に限定されず任意である。
移動補助部材２５は、本実施例において、前記ガラス板保持枠３に備えられているが取付位置には特に限定されない。また、ガラス板移動作業の度に用いられる別個の構成としてもよく本発明の範囲内で設計変更可能である。
本実施例において、移動補助部材２５は、ガラス板４を押圧して横方向（回動軸方向）へ移動させる構成としているが、他の構成を採用することを何等妨げるものではなく、例えば、ガラス板４をガラス板嵌装可能部１５の上方から挟持して横方向へとスライド移動させる構成とすることも可能である。
【００４８】
脱落防止部３９と保持部４５は、移動補助部材２５と一体成形されていなくともよい。
なお、本実施例では、前記脱落防止部３９に、弾性変形可能な脱落防止用係止片４２を備えるとともに、ガラス板保持枠３に、前記脱落防止用係止片４２に係止される脱落防止用係止受部１８ａを備えた形態を採用するが、少なくとも、ガラス板保持枠３と脱落防止部３９のうちのいずれか一方に脱落防止用係止片を、他方に脱落防止用係止受部を備えるものであればよく限定されず、また、ガラス板保持枠３と脱落防止部３９の双方に、夫々脱落防止用係止片と脱落防止用係止受部を備える形態も採用可能である。
なお、本実施例では、前記保持部４５に、弾性変形可能な保持用係止片４８を備えるとともに、ガラス板保持枠３に、前記保持用係止片４８に係止される保持用係止受部１９ａを備えた形態を採用するが、少なくとも、ガラス板保持枠３と保持部４５のうちのいずれか一方に保持用係止片を、他方に保持用係止受部を備えるものであればよく限定されず、また、ガラス板保持枠３と保持部４５の双方に、夫々保持用係止片と保持用係止受部を備える形態も採用可能である。
なお、本実施例では脱落防止部３９と保持部４５を備える実施の一例を説明したが、脱落防止部３９と保持部４５を備えない構成を採用することも本発明の範囲内である。
【００４９】
さらに、本実施例では、脱落防止部３９の脱落防止用係止片４２が、開放側保持部材１３の脱落防止用係止受部１８ａに係止されている状態のとき、移動補助部材２５の一部がガラス板保持枠３の開放側１６端部から突出し、該突出部分（図１０（ａ）で突出部分を符号Ｗ３で示す）が邪魔となってガラス板保持枠３の閉扉が不可能であるとすることによって、ガラス板４の取付け忘れや取付位置へのセット忘れを作業者に注意させる構成としているが、このような構成を採用しないことも本発明の範囲内である。すなわち、脱落防止部３９の脱落防止用係止片４２が、開放側保持部材１３の脱落防止用係止受部１８ａに係止されている状態のときであっても、移動補助部材２５がガラス板保持枠３の開放側１６端部から突出しない構成とすることも可能である。
【００５０】
なお、実施例１では、回動軸側保持部材１２の上端にガラス板嵌装阻止部２１・離脱阻止部２２を一体的に備える形態としているが、いずれか一方のみを備える形態であってもよく、またいずれをも備えない形態を採用することも本発明の範囲内で可能である。さらに、ガラス板嵌装阻止部２１・離脱阻止部２２は、回動軸側保持部材１２と別体に形成されているものであってもよい。
【００５１】
また、離脱阻止部２２は、回動軸側保持部材１２と別部材によって構成され、下方にのみ可動可能に取り付けられ、上方への可動は阻止される構造を採用することも本発明の範囲内で可能である。
すなわち、特に図示はしないが、例えば二枚のガラス板の上端を同時に覆う程度の前後方向幅をもって板状に形成するとともに、回動軸１０側の端縁を回動可能に回動軸側保持部材１２の上端に軸支して離脱阻止部を構成することも可能である。そして、該離脱阻止部は、弾性部材によって前記軸支部分を中心に上方に付勢させ、回動軸側保持部材１２の上端には、開放側保持部材１３方向に向けて延設した左右の支持部と、該支持部から水平方向に対向する前後の抑え舌片を突設し、該前後の舌片に前記離脱阻止部の上面の少なくとも一部が当接して上方への可動を阻止する構成が一例として挙げられる。
なお、本実施例では付勢部材３６を備える実施の一例を説明したが、付勢部材３６を備えない構成を採用することも本発明の範囲内である。
【図面の簡単な説明】
【００５２】
【図１】本発明遊技機の概略を示す全体斜視図。
【図２】ガラス板保持枠の正面図。
【図３】ガラス板保持枠の背面図。
【図４】ガラス板保持枠を裏側から見た状態の斜視図。
【図５】図２のＡ‐Ａ線断面図。
【図６】図２のＢ‐Ｂ線断面図。
【図７】移動補助部材用貫通孔を拡大して示す部分斜視図で、（ａ）は移動補助部材挿入方向から見た状態を拡大して示し、（ｂ）は裏側から見た状態を拡大して示す。
【図８】移動補助部材の概略正面図。
【図９】移動補助部材の概略斜視図で、（ａ）は操作部方向から見た状態の斜視図、（ｂ）は当接部方向から見た状態の斜視図。
【図１０】移動補助部材の作動状態を示す部分拡大概略図で、（ａ）は移動補助部材を開放側に移動させるとともに、脱落防止用係止片が脱落防止用係止受部に係止されている状態、（ｂ）は移動補助部材回動軸側に移動してガラス板を取付位置に押圧するとともに、保持用係止片が保持用掛止受部に係止されている状態を示す。
【図１１】ガラス板の取り付け作動状態の概略図で、（ａ）はガラス板をガラス板嵌装可能部から嵌装した直後の状態を示し、（ｂ）はガラス板がガラス板取付位置に移動して押圧保持されている状態を示す。
【図１２】ガラス板の嵌挿状態を示す一部省略斜視図で、（ａ）は回動軸側保持部材の上端付近を拡大して示し、（ｂ）は開放側保持部材の上端付近を拡大して示す。
【符号の説明】
【００５３】
３  ガラス板保持枠
４  ガラス板
１０  回動軸
１２  回動軸側保持部材
１３  開放側保持部材
１４  下部分側保持部材
１５  ガラス板嵌装可能部
２０  ガラス板取付位置
２５  移動補助部材
３３  当接部
３５  緩衝部
３６  付勢部材
Ｌ１  回動軸側保持部材と開放側保持部材の間隔
Ｌ２  移動空間
Ｌ３  嵌装阻止部の遊端側と開放側保持部材との間で形成された空間
【図１】
2006230527.tif 000003
【図２】
2006230527.tif 000004
【図３】
2006230527.tif 000005
【図４】
2006230527.tif 000006
【図５】
2006230527.tif 000007
【図６】
2006230527.tif 000008
【図７】
2006230527.tif 000009
【図８】
2006230527.tif 000010
【図９】
2006230527.tif 000011
【図１０】
2006230527.tif 000012
【図１１】
2006230527.tif 000013
【図１２】
2006230527.tif 000014